(57)【要約】【課題】一束化ハンガーのひねり方向への力に強い連結工具および連結方法を提供する。【解決手段】通信線を一束化するために電柱に架設された支持線にスパイラル状に巻かれた一束化ハンガーを相互に連結するための連結工具であって、第１の一束化ハンガーを固定する第１の連結部材と、第２の一束化ハンガーを固定する第２の連結部材とを有し、第１の連結部材と第２の連結部材とが、相互に係合するための係合手段を有し、第１の連結部材と第２の連結部材とが係合手段により相互に係合されることにより、第１の一束化ハンガーと第２の一束化ハンガーとが連結され、第１の一束化ハンガーと第２の一束化ハンガーとが連結された状態で、第１の一束化ハンガーの一部と第２の一束化ハンガーの一部とが重なり合う構成となっている。【選択図】図３
2019115099.tif 000002
【特許請求の範囲】
【請求項１】
通信線を一束化するために電柱に架設された支持線にスパイラル状に巻かれた一束化ハンガーを相互に連結するための連結工具であって、
第１の一束化ハンガーを固定する第１の連結部材と、
第２の一束化ハンガーを固定する第２の連結部材とを有し、
前記第１の連結部材と前記第２の連結部材とが、相互に係合するための係合手段を有し、
前記第１の連結部材と前記第２の連結部材とが前記係合手段により相互に係合されることにより、前記第１の一束化ハンガーと前記第２の一束化ハンガーとが連結され、
前記第１の一束化ハンガーと前記第２の一束化ハンガーとが連結された状態で、前記第１の一束化ハンガーの一部と前記第２の一束化ハンガーの一部とが重なり合うことを特徴とする連結工具。
【請求項２】
前記第１の一束化ハンガーの一部と前記第２の一束化ハンガーの一部とが横方向に重なり合うことを特徴とする請求項１に記載の連結工具。
【請求項３】
前記横方向が、前記第１の一束化ハンガーおよび前記第２の一束化ハンガーの長手方向とほぼ直角の方向であることを特徴とする請求項２に記載の連結工具。
【請求項４】
前記第１の連結部材が、前記第１の一束化ハンガーの端部を挿入する第１の挿入口と、前記第２の連結部材の第２の係合口と係合する第１の突出係合部と、前記第２の連結部材の第２の突出係合部と係合する第１の係合口とを有しており、
前記第２の連結部材が、前記第２の一束化ハンガーの端部を挿入する前記第２の挿入口と、前記第１の連結部材の前記第１の係合口と係合する前記第２の突出係合部と、前記第１の連結部材の前記第１の突出係合部と係合する前記第２の係合口とを有しており、
前記係合手段が、前記第１の係合口と前記第２の突出係合部と前記第１の突出係合部と前記第２の係合口とから形成されることを特徴とする請求項１〜３のいずれかに記載の連結工具。
【請求項５】
前記第１の挿入口と前記第１の突出係合部とが、直列に設けられ、前記第１の係合口が、前記第１の挿入口と前記第１の突出係合部に対して並列に設けられており、前記第２の挿入口と前記第２の突出係合部とが、直列に設けられ、前記第２の係合口が、前記第２の挿入口と前記第２の突出係合部に対して並列に設けられていることを特徴とする請求項４に記載の連結工具。
【請求項６】
通信線を一束化するために電柱に架設された支持線にスパイラル状に巻かれた一束化ハンガーを、第１の連結部材と第２の連結部材とを有する連結工具により相互に連結するための連結方法であって、
第１の一束化ハンガーを前記第１の連結部材に固定する工程と、
第２の一束化ハンガーを前記第２の連結部材に固定する工程と、
前記第１の連結部材と前記第２の連結部材とを相互に係合する工程と、を有し、
前記第１の連結部材と前記第２の連結部材とが相互に係合されることにより、前記第１の一束化ハンガーと前記第２の一束化ハンガーとが連結され、
前記第１の一束化ハンガーと前記第２の一束化ハンガーとが連結された状態で、前記第１の一束化ハンガーの一部と前記第２の一束化ハンガーの一部とが重なり合うことを特徴とする連結方法。
【請求項７】
前記第１の一束化ハンガーの一部と前記第２の一束化ハンガーの一部とが横方向に重なり合うことを特徴とする請求項６に記載の連結方法。
【請求項８】
前記横方向が、前記第１の一束化ハンガーおよび前記第２の一束化ハンガーの長手方向とほぼ直角の方向であることを特徴とする請求項７に記載の連結方法。
【発明の詳細な説明】
【技術分野】
【０００１】
本発明は、電柱に架設された通信線等を一束化するための一束化ハンガーを連結するための一束化ハンガーの連結工具および連結方法に関するものである。
【背景技術】
【０００２】
近年、通信技術の進歩に伴い、電柱に架設された電線本線となる通信線に沿って光ケーブル等の新たなケーブルを設置することが多くなって来ている。
【０００３】
これらのケーブルは、電柱間に張った支持線により保持されるが、これらのケーブルは、美観等の観点から、支持線にスパイラル状等に巻かれた一束化ハンガーにより、一束化されて支持線に支持される。
【０００４】
そして、実際に一束化ハンガーを支持線に取り付ける場合、所定の長さの一束化ハンガーを連結工具により複数連結して取り付ける方法が一般的であった。
【０００５】
このような一束化ハンガーの連結工具および連結方法としては、様々のものが提案されている。
【先行技術文献】
【特許文献】
【０００６】
【特許文献１】特開２００９−２２５６６０号公報
【特許文献２】特開２００４−１５８８８号公報
【特許文献３】特開２００４−２０８４５９号公報
【特許文献４】特開２００８−１７８１９３号公報
【発明の概要】
【発明が解決しようとする課題】
【０００７】
しかしながら、従来に提案された一束化ハンガーの連結工具および連結方法では、一束化ハンガーが直列的に連結されており、その連結工具がひねり方向への力に弱いという欠点があった。
【０００８】
例えば、図１１に示すような従来の連結工具１０１の場合、第１の一束化ハンガー１０３ａを第１の連結部材１０１ａの挿入口に挿入して固定し、第２の一束化ハンガー１０３ｂを第２の連結部材１０１ｂの挿入口に挿入して固定し、第１の連結部材１０１ａと第２の連結部材１０１ｂとを係合することにより、第１の一束化ハンガー１０３と第２の一束化ハンガー１０３ｂとを連結するようになっている。
【０００９】
図１１は、従来の連結工具１０１の断面図である。
【００１０】
しかしながら、図１１に示すように、第１の一束化ハンガー１０３ａと第２の一束化ハンガー１０３ｂとを連結した状態で、第１の一束化ハンガー１０３ａの軸Ｏ１と第２の一束化ハンガー１０３ｂの軸Ｏ２とが略一致するようになっており、第１の一束化ハンガー１０３ａと第２の一束化ハンガー１０３ｂとが直線状に連結されるようになっていた。
【００１１】
このような従来の連結工具１０１では、第１の一束化ハンガー１０３ａに対して第２の一束化ハンガー１０３ｂがひねり方向Ａへ付勢された場合、第１の一束化ハンガー１０３ａと第２の一束化ハンガー１０３ｂとの間にひねり方向への力が加わり、その力は、連結工具１０１の所定のポイントに集中してしまう問題点があった。
【００１２】
第１の一束化ハンガー１０３ａと第２の一束化ハンガー１０３ｂとの間にひねり方向への力が連結工具１０１の所定のポイントに集中すると、その所定のポイントに疲労がたまり、場合によっては、連結工具１０１の所定のポイントが簡単に破損してしまう可能性が高かった。
【００１３】
本発明は、上述の問題を解決するためのものであり、その目的は、一束化ハンガーのひねり方向への力に強い連結工具および連結方法を提供することである。
【課題を解決するための手段】
【００１４】
本発明の特徴は、通信線を一束化するために電柱に架設された支持線にスパイラル状に巻かれた一束化ハンガーを相互に連結するための連結工具であって、
第１の一束化ハンガーを固定する第１の連結部材と、
第２の一束化ハンガーを固定する第２の連結部材とを有し、
前記第１の連結部材と前記第２の連結部材とが、相互に係合するための係合手段を有し、
前記第１の連結部材と前記第２の連結部材とが前記係合手段により相互に係合されることにより、前記第１の一束化ハンガーと前記第２の一束化ハンガーとが連結され、
前記第１の一束化ハンガーと前記第２の一束化ハンガーとが連結された状態で、前記第１の一束化ハンガーの一部と前記第２の一束化ハンガーの一部とが重なり合うことである。
【００１５】
本発明の他の特徴は、前記第１の一束化ハンガーの一部と前記第２の一束化ハンガーの一部とが横方向に重なり合うことである。
【００１６】
本発明の他の特徴は、前記横方向が、前記第１の一束化ハンガーおよび前記第２の一束化ハンガーの長手方向とほぼ直角の方向であることである。
【００１７】
本発明の他の特徴は、前記第１の連結部材が、前記第１の一束化ハンガーの端部を挿入する第１の挿入口と、前記第２の連結部材の第２の係合口と係合する第１の突出係合部と、前記第２の連結部材の第２の突出係合部と係合する第１の係合口とを有しており、前記第２の連結部材が、前記第２の一束化ハンガーの端部を挿入する前記第２の挿入口と、前記第１の連結部材の前記第１の係合口と係合する前記第２の突出係合部と、前記第１の連結部材の前記第１の突出係合部と係合する前記第２の係合口とを有しており、前記係合手段が、前記第１の係合口と前記第２の突出係合部と前記第１の突出係合部と前記第２の係合口とから形成されることである。
【００１８】
本発明の他の特徴は、前記第１の挿入口と前記第１の突出係合部とが、直列に設けられ、前記第１の係合口が、前記第１の挿入口と前記第１の突出係合部に対して並列に設けられており、前記第２の挿入口と前記第２の突出係合部とが、直列に設けられ、前記第２の係合口が、前記第２の挿入口と前記第２の突出係合部に対して並列に設けられていることである。
【００１９】
本発明の他の特徴は、通信線を一束化するために電柱に架設された支持線にスパイラル状に巻かれた一束化ハンガーを、第１の連結部材と第２の連結部材とを有する連結工具により相互に連結するための連結方法であって、
第１の一束化ハンガーを前記第１の連結部材に固定する工程と、
第２の一束化ハンガーを前記第２の連結部材に固定する工程と、
前記第１の連結部材と前記第２の連結部材とを相互に係合する工程と、を有し、
前記第１の連結部材と前記第２の連結部材とが相互に係合されることにより、前記第１の一束化ハンガーと前記第２の一束化ハンガーとが連結され、
前記第１の一束化ハンガーと前記第２の一束化ハンガーとが連結された状態で、前記第１の一束化ハンガーの一部と前記第２の一束化ハンガーの一部とが重なり合うことである。
【００２０】
本発明の他の特徴は、前記第１の一束化ハンガーの一部と前記第２の一束化ハンガーの一部とが横方向に重なり合うことである。
【００２１】
本発明の他の特徴は、前記横方向が、前記第１の一束化ハンガーおよび前記第２の一束化ハンガーの長手方向とほぼ直角の方向であることである。
【発明の効果】
【００２２】
連結された一束化ハンガーへひねり方向の力が加えられた場合にも、連結工具の破損を防止することができる。
【図面の簡単な説明】
【００２３】
【図１】支持線３にスパイラル状に巻かれた一束化ハンガー５を示す概略説明図である。
【図２】支持線３にスパイラル状に巻かれた一束化ハンガー５が連結工具１により連結された状態を示す概略説明図である。
【図３】本発明を実施した連結工具１の連結された状態を示す平面図である。
【図４】本発明を実施した連結工具１の連結された状態を示す側面図である。
【図５】本発明を実施した連結工具１の第１の連結部材１ａの斜視図である。
【図６】本発明を実施した連結工具１の第１の連結部材１ａの斜視図である。
【図７】本発明を実施した連結工具１の第１の連結部材１ａの斜視図である。
【図８】本発明を実施した連結工具１の第２の連結部材１ｂの斜視図である。
【図９】本発明を実施した連結工具１の第２の連結部材１ｂの斜視図である。
【図１０】本発明を実施した連結工具１の第２の連結部材１ｂの斜視図である。
【図１１】従来の連結工具の断面図である。
【発明を実施するための形態】
【００２４】
本発明は、図１および図２に示すように、電柱に架設された通信ケーブル７等を一束化するため、電柱に架設された支持線３にスパイラル状に巻かれた一束化ハンガー５を相互に連結するための連結工具１および連結方法に関するものであり、その一束化ハンガー５により複数の通信ケーブル７等が支持される。
【００２５】
図１および図２は、支持線３にスパイラル状に巻かれた一束化ハンガー５が連結工具１により連結された状態を示す概略説明図である。  
【００２６】
図３〜図１０を参照して、図１に示した連結工具１について説明する。
【００２７】
図３は、本発明を実施した連結工具１により一束化ハンガー５ａ、５ｂが連結された状態を示す平面図であり、図４は、本発明を実施した連結工具１により一束化ハンガー５ａ、５ｂが連結された状態を示す側面図である。
【００２８】
図５〜図７は、本発明を実施した連結工具１の第１の連結部材１ａの斜視図であり、図８〜図１０は、本発明を実施した連結工具１の第２の連結部材１ｂの斜視図である。
【００２９】
図３に示すように、この連結工具１は、第１の一束化ハンガー５ａを固定する第１の連結部材１ａと第２の一束化ハンガー５ｂを固定する第２の連結部材１ｂとからなり、第１の連結部材１ａと第２の連結部材１ｂとが相互に係合することにより、第１の一束化ハンガー５ａと第２の一束化ハンガー５ｂとを連結するようになっている。
【００３０】
なお、第１の連結部材１ａと第２の連結部材１ｂとは、同じ構造となっている。
【００３１】
図３〜図１０に示すように、第１の連結部材１ａは、第１の一束化ハンガー５ａの端部を挿入する第１の挿入口１ａ１と、後述する第２の連結部材１ｂの第２の係合口１ｂ５と係合する第１の突出係合部１ａ３と、後述する第２の連結部材１ｂの第２の突出係合部１ｂ３と係合する第１の係合口１ａ５とを有している。
【００３２】
なお、第１の突出係合部１ａ３の先端には、第２の連結部材１ｂの第２の係合口１ｂ５と係合するためのフック部１ａ７が設けられている。
【００３３】
図５及び図６に示すように、フック部１ａ７には、突出部１ａ７’が設けられ、図１０に示すように、第２の係合口１ｂ５には、溝１ｂ５’が設けられている。
【００３４】
そして、その突出部１ａ７’は、第１の連結部材１ａと第２の連結部材１ｂとが連結されている状態で、溝１ｂ５’と係合するようになっている。
【００３５】
第１の連結部材１ａと第２の連結部材１ｂとが連結されている状態で、突出部１ａ７’と溝１ｂ５’とがしっかりと係合するので、第１の連結部材１ａと第２の連結部材１ｂとの連結が外れることが防止される。
【００３６】
そして、第１の挿入口１ａ１と第１の突出係合部１ａ３とは、直列に設けられ、第１の係合口１ａ５は、第１の挿入口１ａ１の横側に並列に設けられている。
【００３７】
第２の連結部材１ｂは、第２の一束化ハンガー５ｂの端部を挿入する第２の挿入口１ｂ１と、第１の連結部材１ａの第１の係合口１ａ５と係合する第２の突出係合部１ｂ３と、第１の連結部材１ａの第１の突出係合部１ａ３と係合する第２の係合口１ｂ５とを有している。
【００３８】
なお、第２の突出係合部１ｂ３の先端には、第１の連結部材１ａの第１の係合口１ａ５と係合するためのフック部１ｂ７が設けられている。
【００３９】
図８及び図９に示すように、フック部１ｂ７には、突出部１ｂ７’が設けられ、図７に示すように、第１の係合口１ａ５には、溝１ａ５’が設けられている。
【００４０】
そして、その突出部１ｂ７’は、第１の連結部材１ａと第２の連結部材１ｂとが連結されている状態で、溝１ａ５’と係合するようになっている。
【００４１】
第１の連結部材１ａと第２の連結部材１ｂとが連結されている状態で、突出部１ｂ７’と溝１ａ５’とがしっかりと係合するので、第１の連結部材１ａと第２の連結部材１ｂとの連結が外れることが防止される。
【００４２】
そして、第２の挿入口１ｂ１と第２の突出係合部１ｂ３とは、直列に設けられ、第２の係合口１ｂ５は、第２の挿入口１ｂ１の横側に並列に設けられている。
【００４３】
そして、図２および図３に示すように、第１の連結部材１ａの第１の挿入口１ａ１に第１の一束化ハンガー５ａの端部を挿入し固定し、第２の連結部材１ｂの第２の挿入口１ｂ１に第２の一束化ハンガー５ｂの端部を挿入し固定し、その後、第１の連結部材１ａの第１の突出係合部１ａ３を、第２の連結部材１ｂの第２の係合口１ｂ５に係合すると共に、第２の連結部材１ｂの第２の突出係合部１ｂ３を、第１の連結部材１ａの第１の係合口１ａ５に係合し、これにより、第１の一束化ハンガー５ａと第２の一束化ハンガー５ｂとを連結する。
【００４４】
ここで、第１の一束化ハンガー５ａと第２の一束化ハンガー５ｂとが連結された状態で、図３に示すように、第１の一束化ハンガー５ａの端部と、第２の一束化ハンガー５ｂの端部とが、所定の長さＬで横方向に重なり合うと共に、第１の連結部材１ａと第２の連結部材１ｂが平行に結合されるようになっている。
【００４５】
すなわち、従来のように、一束化ハンガー同士が相互に直線状に連結されるのではなく、第１の一束化ハンガー５ａの端部と、第２の一束化ハンガー５ｂの端部とが、所定の長さＬで横方向Ｂに重なり合いオーバーラップしている。
【００４６】
また、従来のように、第１の連結部材１０１ａと第２の連結部材１０１ｂが直列に結合されるのではなく、第１の連結部材１ａと第２の連結部材１ｂが平行に結合されている。
【００４７】
ここで、横方向Ｂは、第１の一束化ハンガー５ａおよび第２の一束化ハンガー５ｂの長手方向とほぼ直角の方向である。
【００４８】
なお、第１の連結部材１ａと第２の連結部材１ｂとが相互に係合した状態では、第１の突出係合部１ａ３の先端のフック部１ａ７は、第２の連結部材１ｂの第２の係合口１ｂ５の出口に係合し、第２の突出係合部１ｂ３の先端のフック部１ｂ７は、第１の連結部材１ａの第１の係合口１ａ５の出口に係合する。
【００４９】
次に、本発明を実施した連結工具１による一束化ハンガー５ａ、５ｂの連結方法について説明する。
【００５０】
まず、第１の一束化ハンガー５ａと第２の一束化ハンガー５ｂとを連結しようとした場合、第１の連結部材１ａの第１の挿入口１ａ１に第１の一束化ハンガー５ａの端部を所定位置まで挿入し、その挿入部分を超音波溶着して固定する。
【００５１】
なお、この超音波溶着により、第１の一束化ハンガー５ａの被覆と第１の連結部材１ａの溶けたものは、第１の連結部材１ａの上面に設けられた微少穴１ａ９、１ａ１１から逃げるようになっている。
【００５２】
次に、第２の連結部材１ｂの第２の挿入口１ｂ１に第２の一束化ハンガー５ｂの端部を所定位置まで挿入し、その挿入部分を超音波溶着して固定する。
【００５３】
なお、この超音波溶着により、第２の一束化ハンガー５ｂの被覆と第２の連結部材１ｂの溶けたものは、第２の連結部材１ｂの上面に設けられた微少穴１ｂ９、１ｂ１１から逃げるようになっている。
【００５４】
次に、第２の連結部材１ｂの第２の突出係合部１ｂ３を、第１の連結部材１ａの第１の係合口１ａ５に近づけて行く。それにより、第１の連結部材１ａの第１の突出係合部１ａ３も、第２の連結部材１ｂの第２の係合口１ｂ５に近づいて行く。
【００５５】
そのまま、第１の連結部材１ａの第１の突出係合部１ａ３を、第２の連結部材１ｂの第２の係合口１ｂ５に入れて行くと、同時に、第２の連結部材１ｂの第２の突出係合部１ｂ３も、第１の連結部材１ａの第１の係合口１ａ５に入って行く。
【００５６】
そして、そのまま、第１の連結部材１ａの第１の突出係合部１ａ３を、第２の連結部材１ｂの第２の係合口１ｂ５に最後まで挿入すると、第１の突出係合部１ａ３の先端のフック部１ａ７は、第２の連結部材１ｂの第２の係合口１ｂ５の出口に係合すると共に、第２の連結部材１ｂの第２の突出係合部１ｂ３も、第１の連結部材１ａの第１の係合口１ａ５に最後まで挿入され、第２の突出係合部１ｂ３の先端のフック部１ｂ７が、第１の連結部材１ａの第１の係合口１ａ５の出口に係合する。
【００５７】
これにより、第１の連結部材１ａの第１の突出係合部１ａ３が、第２の連結部材１ｂの第２の係合口１ｂ５に係合されると共に、第２の連結部材１ｂの第２の突出係合部１ｂ３が、第１の連結部材１ａの第１の係合口１ａ５に係合され、第１の一束化ハンガー５ａと第２の一束化ハンガー５ｂとが連結される。
【００５８】
なお、上述した第１の一束化ハンガー５ａと第２の一束化ハンガー５ｂとの連結においては、様々な状況に対応して、例えば、最初に、第１の連結部材１ａの固定された第１の一束化ハンガー５ａを、支持線３に装着し、その後、第２の連結部材１ｂの固定された第２の一束化ハンガー５ｂを、支持線３に装着し、第１の連結部材１ａと第２の連結部材１ｂとを係合するようにしても良い。
【００５９】
上述のように、本発明を実施した連結工具１によれば、第１の一束化ハンガー５ａの一部と、第２の一束化ハンガー５ｂの一部とが、所定の長さＬで横方向Ｂに重なり合いオーバーラップしていると共に、第１の連結部材１ａと第２の連結部材１ｂが平行に結合されるので、第１の一束化ハンガー５ａに対して第２の一束化ハンガー５ｂがひねり方向Ａへ付勢された場合でも、第１の一束化ハンガー５ａと第２の一束化ハンガー５ｂとの間に生じるひねり方向への力を分散することができる。
【００６０】
従って、第１の一束化ハンガー５ａと第２の一束化ハンガー５ｂとの間に生じるひねり方向への力によって、連結工具１が破損する可能性が著しく改善されて低くなるという効果を奏する。
【００６１】
また、この実施形態では、一束化ハンガーとして、図１および図２に示すような、支持線３にスパイラル状に巻かれた一束化ハンガーを用いているが、これに限定されることなく、他の形状の一束化ハンガーにも適用できる。
【００６２】
この発明は前述の発明の実施の形態に限定されることなく、適宜な変更を行うことにより、その他の態様で実施し得るものである。
【符号の説明】
【００６３】
１  連結工具
１ａ 第１の連結部材
１ｂ 第２の連結部材
３  支持線
５  一束化ハンガー
１０１  連結工具
１０３  一束化ハンガー
【図１】
2019115099.tif 000003
【図２】
2019115099.tif 000004
【図３】
2019115099.tif 000005
【図４】
2019115099.tif 000006
【図５】
2019115099.tif 000007
【図６】
2019115099.tif 000008
【図７】
2019115099.tif 000009
【図８】
2019115099.tif 000010
【図９】
2019115099.tif 000011
【図１０】
2019115099.tif 000012
【図１１】
2019115099.tif 000013